(57)【要約】【課題】移動端末が在圏するＳＩＰサーバ情報が在圏情報管理サーバ内から消去された場合においても、正常にサービスを提供するためにＳＩＰサーバの在圏情報を復旧させる。【解決手段】ユーザ端末の在圏しているＳＩＰサーバの在圏情報及び在圏保証フラグを、在圏情報管理テーブルに保持しておく。在圏情報管理サーバ１０２の障害により、登録されているＳＩＰサーバの情報が消滅してしまった場合には、在圏保証フラグを「保証なし」に設定した後、障害復旧後に全ＳＩＰサーバ１０１−１〜１０１−３に在圏状態問合せを行う。その応答としてＳＩＰサーバ１０１−１〜１０１−３からリスト化されたユーザ在圏情報を取得し、在圏保証フラグを「保証あり」に変更する。それとともに、リスト化されたユーザ在圏情報を応答したＳＩＰサーバの情報を、在圏情報として在圏情報管理テーブルに登録する。【選択図】      図５
2008022234.tif 000002
【特許請求の範囲】
【請求項１】
通信網を構成すると共に前記通信網においてユーザの移動端末が在圏しているエリアに対応するＳＩＰサーバ装置を管理する在圏情報管理サーバ装置であって、ユーザの移動端末が、どのＳＩＰサーバ装置に対応するエリアに存在しているかを示す在圏情報と前記在圏情報の信頼性を示す在圏保証フラグとを対応付けて管理するための在圏情報管理テーブルと、自装置の障害を検出した場合に、前記在圏保証フラグを保証なしに設定するフラグ更新手段と、自装置が障害から復旧した後、ユーザの移動端末についての在圏問い合わせを、全てのＳＩＰサーバ装置に送出する在圏問い合わせ手段と、前記在圏問い合わせに対してＳＩＰサーバ装置から取得した在圏ユーザ情報リストに基づいて前記在圏情報管理テーブルの在圏情報を復旧させると共に前記在圏保証フラグを保証ありに設定する在圏情報登録制御手段とを含むことを特徴とする在圏情報管理サーバ装置。
【請求項２】
障害復旧時から、位置登録済みの移動端末が次の周期的な在圏位置登録を行う期間を含めた時間を経過した後は、前記在圏情報登録制御手段による在圏情報の復旧処理を停止させることを特徴とする請求項１記載の在圏情報管理サーバ装置。
【請求項３】
前記全てのＳＩＰサーバ装置から前記在圏ユーザ情報リストを取得した契機で、前記在圏情報登録制御手段が前記在圏保証フラグを保証ありに設定することを特徴とする請求項１又は２記載の在圏情報管理サーバ装置。
【請求項４】
位置登録が行われていない新規の移動端末についての在圏情報を前記在圏情報管理テーブルに保持する契機で、前記在圏情報登録制御手段が前記在圏保証フラグを保証ありに設定することを特徴とする請求項１又は２記載の在圏情報管理サーバ装置。
【請求項５】
ＳＩＰサーバ装置からの前記在圏ユーザ情報リストの取得を待つ間に、移動端末がＳＩＰサーバ装置を経由して自装置に対して移動端末が使用するＳＩＰサーバ装置の登録を実施した場合、前記在圏情報登録制御手段は、前記在圏保証フラグを保証ありに設定し、その後に取得した在圏ユーザ情報リストに該当移動端末の情報がリストに含まれていたとしても、在圏保証フラグが保証ありに設定されているならば、前記在圏情報管理テーブルの情報更新処理を行わないことを特徴とする請求項１又は２記載の在圏情報管理サーバ装置。
【請求項６】
ユーザの移動端末が、どのＳＩＰサーバに対応するエリアに存在しているかを示す在圏在圏情報を管理する在圏情報管理サーバ装置が障害から復旧した後、前記在圏情報管理サーバ装置からの問合せに応答して、自装置が保持するユーザ情報を基に、前記在圏情報管理サーバ情報のユーザ情報に関する在圏ユーザ情報リストを作成する在圏ユーザ情報リスト作成手段と、前記在圏ユーザ情報リスト作成手段によって作成した在圏ユーザ情報リストを前記在圏情報管理サーバ装置に通知する通知手段とを含むことを特徴とするＳＩＰサーバ装置。
【請求項７】
通信網を構成すると共に前記通信網においてユーザの移動端末が在圏しているエリアに対応するＳＩＰサーバ装置を管理する在圏情報管理方法であって、ユーザの移動端末が、どのＳＩＰサーバ装置に対応するエリアに存在しているかを示す在圏情報と前記在圏情報の信頼性を示す在圏保証フラグとを対応付けて在圏情報管理テーブルによって管理する在圏情報管理ステップと、在圏情報管理サーバ装置の障害を検出した場合に、前記在圏保証フラグを保証なしに設定するフラグ更新ステップと、前記在圏情報管理サーバ装置が障害から復旧した後、ユーザの移動端末についての在圏問い合わせを、全てのＳＩＰサーバ装置に送出する在圏問い合わせステップと、前記在圏問い合わせに対してＳＩＰサーバ装置から取得した在圏ユーザ情報リストに基づいて前記在圏情報管理テーブルの在圏情報を復旧させると共に前記在圏保証フラグを保証ありに設定する在圏情報登録制御ステップとを含むことを特徴とする在圏情報管理方法。
【発明の詳細な説明】
【技術分野】
【０００１】
本発明は在圏情報管理サーバ装置、ＳＩＰサーバ装置、在圏情報管理方法に関し、特に在圏情報消滅後にそれを復旧させるための機能を有する在圏情報管理サーバ装置、ＳＩＰサーバ装置、在圏情報管理方法に関する。
【背景技術】
【０００２】
（ネットワークの構成例）
ＳＩＰ（Session Initiation Protocol）を使用した通信を実現するためのネットワークの一構成例について図１２を参照して説明する。同図に示されているネットワークは、複数のＳＩＰサーバ１０１−１、１０１−２…それぞれに対応するエリアによって形成される無線ＬＡＮ（Local Area Network）の圏内に存在しているユーザａの移動端末Ａ、ユーザｂの移動端末Ｂをはじめとする移動端末同士の通信を実現するものである。
【０００３】
また、このネットワークには、複数の在圏情報管理サーバ１０２と、複数の加入者情報管理システム１０３とが設けられている。同図では、作図の都合上、在圏情報管理サーバ１０２と加入者情報管理システム１０３とが一対一に接続されているが、在圏情報管理サーバ１０２は全ての加入者情報管理システム１０３に接続され、かつ、加入者情報管理システム１０３は全ての在圏情報管理サーバ１０２に接続され、すなわちフルメッシュに接続されている。なお、在圏情報管理サーバ１０２と加入者情報管理システム１０３とが同数である必要はない。
【０００４】
ＳＩＰサーバ１０１−１、１０１−２…は、ＩＰ電話サービスをＩＰネットワーク上で稼働させる呼制御サーバであり、ネットワークに接続されている移動端末の位置登録処理を行うことができる。
移動端末が無線ＬＡＮ使用可能エリアに在圏時に在圏情報登録処理として移動端末が使用するＳＩＰサーバが、いずれかの在圏情報管理サーバ１０２に登録さえる。この登録は、必ずＳＩＰサーバを経由して移動端末が在圏情報管理サーバにアクセスすることで行われる。各ＳＩＰサーバ１０１−１、１０１−２…と各在圏情報管理サーバ１０２とはフルメッシュにて接続されているので、ＳＩＰサーバ１０１−１、１０１−２…は移動端末のアクセスを受けて全ての在圏情報管理サーバ１０２にアクセスすることができる。
【０００５】
在圏情報管理サーバ１０２は、ユーザの移動端末が使用するＳＩＰサーバ１０１−１、１０１−２…の情報を在圏情報として登録する。
加入者情報管理システム１０３は、ユーザのサービス契約情報やサービス提供状態を保持するシステムであり、移動端末が無線ＬＡＮ圏内にて使用できるサービスの情報についても管理する。そのため、加入者情報管理システム１０３は、在圏情報管理サーバ１０２が移動端末の在圏情報登録処理を実施したタイミングにてＳＩＰサーバに対して移動端末に関連するサービス情報を通知する。この場合、在圏情報管理サーバ１０２から加入者情報管理システム１０３に対して加入者情報の問い合わせが行われ、取得された加入者情報がＳＩＰサーバに送信される。
【０００６】
加入者情報を取得したＳＩＰサーバ１０１−１、１０１−２…では移動端末の在圏情報の他に在圏情報管理サーバ１０２から取得した移動端末に関連するサービス情報を格納する。在圏情報管理サーバ１０２は、全ての加入者情報管理システム１０３とフルメッシュにて接続されているので、どのＳＩＰサーバ１０１−１、１０１−２…に対してもユーザ情報を提供することができる。
【０００７】
（在圏情報登録処理）
ＳＩＰを使用した通信において、移動端末は無線ＬＡＮ使用可能エリアに在圏時に在圏情報登録処理を実施する。この在圏情報登録処理は、例えば、３０分〜６０分の間隔で行われる。この在圏情報登録処理について、図１３を参照して説明する。
同図において、無線ＬＡＮ圏内のユーザａの移動端末Ａは在圏情報登録要求Ｓ１１を周期的に送信し、ＳＩＰサーバを経由して在圏情報管理サーバに対して移動端末が使用するＳＩＰサーバの登録を行う。また、移動端末からアクセスされたＳＩＰサーバにおいても移動端末の在圏情報の格納を実施する。この在圏情報登録処理は、通常３０〜６０分間隔で実施される。在圏情報登録処理が行われると、ＳＩＰサーバでは、移動端末の在圏情報の他に在圏情報管理サーバから取得した移動端末を使用する加入者のサービス情報を格納する。
【０００８】
在圏情報登録処理は、以下のように行われる。ＳＩＰサーバ１０１−１から在圏情報登録要求Ｓ１２を受信した在圏情報管理サーバ１０２は、加入者情報管理システム１０３に対して移動端末のユーザに関する加入者情報取得要求Ｓ１３を送信する。そして、加入者情報管理システム１０３からの加入者情報通知Ｓ１４を受信した在圏情報管理サーバ１０２は、在圏情報管理テーブルへの在圏情報登録処理Ｓ１５を行う。
【０００９】
さらに、在圏情報管理サーバ１０２は、ユーザ情報通知Ｓ１６を送信し、加入者情報通知Ｓ１４によって取得した加入者情報をＳＩＰサーバ１０１−１に通知する。ＳＩＰサーバ１０１−１では、ユーザ情報テーブルへのユーザ情報登録Ｓ１７を行う。ユーザ情報の登録が完了すると、ＳＩＰサーバ１０１−１は、要求応答Ｓ１８をユーザａの移動端末Ａに送信する。
【００１０】
ＳＩＰサーバ１０１−１は、取得した情報を元にして移動端末からのサービス実施要求に対してサービス提供可／不可を判断して、移動端末毎に適した呼制御を実施する。そのため、加入者情報管理システム１０３にてユーザ情報の変更やサービス提供条件の変更が発生した際には、在圏情報管理サーバ１０２を介して、移動端末の在圏情報を保持するＳＩＰサーバに対して、すみやかにユーザ情報やサービス条件の変更を通知する。こうすることで、加入者情報管理システム１０３にて管理するユーザ情報・サービス条件に従ってサービスを提供することが可能となる。
【００１１】
（発着信処理）
次に、発着信処理について図１４を参照して説明する。
同図において、移動端末Ａからの発信による接続要求Ｓ２１を受けたＳＩＰサーバ１０１−１は、在圏情報管理サーバ１０２に在圏情報確認要求Ｓ２２を送信し、着信先ユーザの移動端末（以下、着信先移動端末と呼ぶ）の在圏情報を取得するための問い合わせを行う。着信先移動端末Ｂがこの時既に在圏情報登録処理を実施していた場合、在圏情報管理サーバ１０２は、着信先移動端末が使用するＳＩＰサーバを把握している。このため、在圏情報管理サーバ１０２は、着ユーザ情報読み出し処理Ｓ２３を行い、在圏情報通知Ｓ２４を返信する。これにより、問い合わせ元である発信元移動端末を管理するＳＩＰサーバ１０１−１に対して着信先ＳＩＰサーバ１０１−２の情報を通知する。
【００１２】
その後、発信元移動端末を管理するＳＩＰサーバ１０１−１は、着信先ＳＩＰサーバ１０１−２に対して接続要求Ｓ２５の転送処理を実施する。これにより、着信先ＳＩＰサーバ１０１−２から着信先の移動端末Ｂに接続要求Ｓ２６が送信されることになる。
なお、以上の処理については非特許文献１に記載されている。
【００１３】
（在圏情報管理サーバ障害時の処理）
上述した在圏情報管理サーバが故障する等、障害が発生した場合の処理について図１５を参照して説明する。
同図において、移動端末Ａの使用しているＳＩＰサーバ１０１−１をユーザ毎に管理する在圏情報管理サーバ１０２に障害が発生すると、登録されているＳＩＰサーバの在圏情報が消滅する。すると、在圏情報管理テーブルの内容はデフォルト値Ｓ３０に戻ってしまう。
【００１４】
その後、移動端末Ａからの発信による接続要求Ｓ３１を受けたＳＩＰサーバ１０１−１は、在圏情報管理サーバ１０２に在圏情報確認要求Ｓ３２を送信し、着信先移動端末の在圏情報を取得するための問い合わせを行う。この問い合わせに対し、在圏情報管理サーバ１０２は着ユーザ情報読み出し処理Ｓ３３を行う。しかしながら、在圏情報管理テーブルの内容はデフォルト値Ｓ３０であるため、ＳＩＰサーバ１０１−２では移動端末Ｂの使用を許可している状態にもかかわらず、在圏情報通知Ｓ３４が返信される。したがって、ＳＩＰサーバ１０１−１は、ユーザｂの移動端末Ｂについての在圏情報（すなわちＳＩＰサーバ１０１−２）を取得できない。このため、移動端末Ａから移動端末Ｂへの接続は行うことができないことになる。
【００１５】
なお、位置情報をバックアップしておき、ＨＬＲ（Home Location Register）障害後のシステム再開後に、バックアップしておいたものを取得する技術も知られている（特許文献１参照）。
【特許文献１】特開２００４−８０４５１号公報
【非特許文献１】３ＧＰＰ  TS29.228 V6.7.0（２００５−０６）  IP Multimedia(IM) Subsystem Cx and Dx interfaces;  Signalling flows and message contents（Release 6）
【発明の開示】
【発明が解決しようとする課題】
【００１６】
上述したように、移動端末の使用しているＳＩＰサーバをユーザ毎に管理する在圏情報管理サーバにて障害が発生し、登録されている端末の在圏情報すなわちＳＩＰサーバ情報が消滅してしまった場合、在圏情報管理サーバとＳＩＰサーバとの間に、移動端末の在圏情報の有無でアンマッチが生じることとなる。そのため、以下の問題が発生する。
【００１７】
（１）加入者情報管理システムにて加入者情報の変更やサービス提供条件の変更が発生した場合に、加入者情報管理システムは在圏情報管理サーバに対して、ユーザが在圏するＳＩＰサーバへの加入者情報更新を通知する必要があるが、該当ユーザが使用するＳＩＰサーバの在圏情報が消去されてしまっているため、移動端末の情報を保持するＳＩＰサーバに対してユーザ情報やサービス条件の変更を通知することができず、加入者情報管理システムにて管理するユーザ情報に従ったサービス条件にてサービスを提供することが不可能となる。
（２）ＳＩＰサーバからの着信ユーザ状態問い合わせに対して、着信先移動端末の使用するＳＩＰサーバを特定することができず、着信接続が不可能となる。
【００１８】
なお、特許文献１では、ＨＬＲ障害があった場合に、再開中フラグの設定によって、復旧状況を管理しているが、上記（１）、（２）の問題を解決することはできない。
本発明は上述した従来技術の問題点を解決するためになされたものであり、その目的は移動端末が在圏するＳＩＰサーバ情報が在圏情報管理サーバ内から消去された場合においても、正常にサービスを提供するためにＳＩＰサーバの在圏情報を復旧させることのできる在圏情報管理サーバ装置、ＳＩＰサーバ装置、在圏情報管理方法を提供することである。
【課題を解決するための手段】
【００１９】
本発明の請求項１による在圏情報管理サーバ装置は、通信網を構成すると共に前記通信網においてユーザの移動端末が在圏しているエリアに対応するＳＩＰサーバ装置を管理する在圏情報管理サーバ装置であって、ユーザの移動端末が、どのＳＩＰサーバ装置に対応するエリアに存在しているかを示す在圏情報と前記在圏情報の信頼性を示す在圏保証フラグとを対応付けて管理するための在圏情報管理テーブル（例えば、図１中の在圏情報管理テーブル１１１ａに対応）と、自装置の障害を検出した場合に、前記在圏保証フラグを保証なしに設定するフラグ更新手段（例えば、図１中の障害検出部１１３に対応）と、自装置が障害から復旧した後、ユーザの移動端末についての在圏問い合わせを、全てのＳＩＰサーバ装置に送出する在圏問い合わせ手段（例えば、図１中の在圏情報登録制御部１１０に対応）と、前記在圏問い合わせに対してＳＩＰサーバ装置から取得した在圏ユーザ情報リストに基づいて前記在圏情報管理テーブルの在圏情報を復旧させると共に前記在圏保証フラグを保証ありに設定する在圏情報登録制御手段（例えば、図１中の在圏情報登録制御部１１０に対応）とを含むことを特徴とする。こうすることにより、移動端末が在圏するＳＩＰサーバ情報が在圏情報管理サーバ装置において消去された場合においても、障害復旧後に即座に全ユーザの移動端末の在圏情報についての一致化を行うことができる。また、ユーザ情報をリスト形式で送信することにより、信号数の削減を行うことができ、在圏情報管理サーバ装置並びにＳＩＰサーバ装置の処理負荷を軽減することができる。
【００２０】
移動端末単位での在圏問合せを行うならば、在圏情報処理サーバで収容する移動端末の数に比例した信号数の増加、処理負荷が生じる。これに対し、リスト形式でのユーザ情報授受をルール化しておけば、ＳＩＰサーバ単位に在圏問合せを実施し、その問合せに対する応答にＳＩＰサーバで保持するユーザの情報をリスト形式で設定することにより、受信した装置では、ルール化された情報を加入者分だけ読み出す処理を行えば良いので、信号数削減及び処理負荷軽減を実現できる。
【００２１】
本発明の請求項２による在圏情報管理サーバ装置は、請求項１において、障害復旧時から、位置登録済みの移動端末が次の周期的な在圏位置登録を行う期間を含めた時間（例えば、図６中のステップＳ１５１から図７中のステップＳ１６３までの間）を経過した後は、前記在圏情報登録制御手段による在圏情報の復旧処理を停止させることを特徴とする。こうすることにより、全ＳＩＰサーバに対して在圏問い合わせ応答を受信するまで再送を繰り返すことなく、移動端末からの周期的な在圏位置登録処理が行われる期間のみ前記在圏情報登録制御手段を起動させることができ、在圏情報管理サーバ装置の負荷を軽減できる。
【００２２】
本発明の請求項３による在圏情報管理サーバ装置は、請求項１又は２において、前記全てのＳＩＰサーバ装置から前記在圏ユーザ情報リストを取得した契機で、前記在圏情報登録制御手段が前記在圏保証フラグを保証ありに設定することを特徴とする。全てのＳＩＰサーバから在圏ユーザ情報リストを取得したタイミングで在圏保証フラグを保証ありに設定することにより、処理をまとめて行うことができ、在圏情報管理サーバ装置の負荷を軽減できる。
【００２３】
本発明の請求項４による在圏情報管理サーバ装置は、請求項１又２において、位置登録が行われていない新規の移動端末についての在圏情報を前記在圏情報管理テーブルに保持する契機で、前記在圏情報登録制御手段が前記在圏保証フラグを保証ありに設定することを特徴とする。こうすることにより、前記在圏情報保管理テーブルに在圏情報「非在圏」を保持するタイミングで移動端末の在圏状態を保証することが在圏保証フラグに反映され、在圏情報管理サーバでの障害後に新規ユーザ登録がされた場合、在圏情報管理サーバの障害前に位置登録済みの移動端末が次の周期的な在圏位置登録を行う期間を含めた時間として障害復旧時から周期時間＋α（αはマージン、以下同じ）の時間を計時する間にＳＩＰサーバからの在圏情報確認要求や、加入者情報管理システムからの加入者情報更新通知に対して障害復旧後に再度通知してほしい旨を伝えてリトライを促す機能を動作させることがないようにすることができる。
【００２４】
本発明の請求項５による在圏情報管理サーバ装置は、請求項１又は２において、ＳＩＰサーバ装置からの前記在圏ユーザ情報リストの取得を待つ間に、移動端末がＳＩＰサーバ装置を経由して自装置に対して移動端末が使用するＳＩＰサーバ装置の登録を実施した場合、前記在圏情報登録制御手段は、前記在圏保証フラグを保証ありに設定し、その後に取得した在圏ユーザ情報リストに該当移動端末の情報がリストに含まれていたとしても、在圏保証フラグが保証ありに設定されているならば、前記在圏情報管理テーブルの情報更新処理を行わないことを特徴とする。在圏保証フラグを参照して制御判断する機能を動作させないことにより、処理軽減をはかることができる。
【００２５】
本発明の請求項６によるＳＩＰサーバ装置は、ユーザの移動端末が、どのＳＩＰサーバに対応するエリアに存在しているかを示す在圏在圏情報を管理する在圏情報管理サーバ装置が障害から復旧した後、前記在圏情報管理サーバ装置からの問合せに応答して、自装置が保持するユーザ情報を基に、前記在圏情報管理サーバ情報のユーザ情報に関する在圏ユーザ情報リストを作成する在圏ユーザ情報リスト作成手段と、前記在圏ユーザ情報リスト作成手段によって作成した在圏ユーザ情報リストを前記在圏情報管理サーバ装置に通知する通知手段とを含むことを特徴とする。ユーザ情報をリスト形式で送信することにより、信号数の削減を行うことができ、在圏情報管理サーバ装置並びにＳＩＰサーバ装置の処理負荷を軽減することができる。
【００２６】
本発明の請求項７による在圏情報管理方法は、通信網を構成すると共に前記通信網においてユーザの移動端末が在圏しているエリアに対応するＳＩＰサーバ装置を管理する在圏情報管理方法であって、ユーザの移動端末が、どのＳＩＰサーバ装置に対応するエリアに存在しているかを示す在圏情報と前記在圏情報の信頼性を示す在圏保証フラグとを対応付けて在圏情報管理テーブルによって管理する在圏情報管理ステップと、在圏情報管理サーバ装置の障害を検出した場合に、前記在圏保証フラグを保証なしに設定するフラグ更新ステップ（例えば、図６中のステップＳ１５０に対応）と、前記在圏情報管理サーバ装置が障害から復旧した後、ユーザの移動端末についての在圏問い合わせを、全てのＳＩＰサーバ装置に送出する在圏問い合わせステップ（例えば、図６中のステップＳ１５２に対応）と、前記在圏問い合わせに対してＳＩＰサーバ装置から取得した在圏ユーザ情報リストに基づいて前記在圏情報管理テーブルの在圏情報を復旧させると共に前記在圏保証フラグを保証ありに設定する在圏情報登録制御ステップ（例えば、図６中のステップＳ１５６に対応）とを含むことを特徴とする。こうすることにより、移動端末が在圏するＳＩＰサーバ情報が在圏情報管理サーバ装置において消去された場合においても、障害復旧後に即座に全ユーザの移動端末の在圏情報についての一致化を行うことができる。また、ユーザ情報をリスト形式で送信することにより、信号数の削減を行うことができ、在圏情報管理サーバ装置並びにＳＩＰサーバ装置の処理負荷を軽減することができる。
【発明の効果】
【００２７】
本発明によれば、障害からの復旧後に在圏状態問合せを行い、その応答としてＳＩＰサーバからリスト化されたユーザ在圏情報を取得し、在圏保証フラグを保証ありに変更するとともにリスト化されたユーザ在圏情報を応答したＳＩＰサーバ装置の情報を在圏情報としてテーブルに登録することにより、移動端末が在圏するＳＩＰサーバ情報が在圏情報管理サーバ装置において消去された場合においても、障害復旧後に即座に全ユーザの移動端末の在圏情報についての一致化を行うことができる。
また、ユーザ情報をリスト形式で送信することにより、信号数の削減を行うことができ、在圏情報管理サーバ装置並びにＳＩＰサーバ装置の処理負荷を軽減することができる。
【発明を実施するための最良の形態】
【００２８】
以下、本発明の実施の形態を、図面を参照して説明する。なお、以下の説明において参照する各図では、他の図と同等部分は同一符号によって示されている。
（ネットワークの全体構成）
本発明の実施形態にかかる在圏管理サーバを用いたネットワークの全体構成は、図１２を参照して先述した構成と同様である。
すなわち、ＳＩＰサーバ−１、１０１−２…は、ＩＰ電話サービスをＩＰネットワーク上で稼働させる呼制御サーバであり、ネットワークに接続されている移動端末の位置登録処理を行うことができる。
【００２９】
移動端末が無線ＬＡＮ使用可能エリアに在圏時に在圏情報登録処理として移動端末が使用するＳＩＰサーバを在圏情報管理サーバ１０２に登録するが、必ずＳＩＰサーバを経由して在圏管理サーバにアクセスされる。各ＳＩＰサーバと各在圏情報管理サーバとがフルメッシュにて接続されることで、各ＳＩＰサーバは移動端末のアクセスを受けて全ての在圏情報管理サーバにアクセスすることができる。
【００３０】
在圏情報管理サーバ１０２は、ＳＩＰサーバからの位置登録要求を受けてユーザの移動端末が使用するＳＩＰサーバの登録を実施することで各ユーザの在圏状態を管理する。
加入者情報管理システム１０３は、ユーザのサービス契約情報やサービス提供状態を保持するシステムで、移動端末が無線ＬＡＮ圏内にて使用できるサービスの情報についても管理する。そのため、在圏情報管理サーバが移動端末の在圏情報登録処理を実施したタイミングにてＳＩＰサーバに対して移動端末に関連するサービス情報を通知するため、在圏情報管理サーバから加入者情報管理システムに対して加入者情報の問い合わせを行い、取得した加入者情報をＳＩＰサーバに送信する。
【００３１】
加入者情報を取得したＳＩＰサーバでは移動端末の在圏情報の他に在圏情報管理サーバ１０２から取得した移動端末に関連するサービス情報を格納する。在圏情報管理サーバ１０２は、全ての加入者情報管理システム１０３とフルメッシュにて接続されているので、どのＳＩＰサーバに対してもユーザ情報を提供することができる。
【００３２】
（在圏情報管理サーバの構成）
本発明の実施形態にかかる在圏情報管理サーバの構成例について図１を参照して説明する。この在圏情報管理サーバは、ＣＰＵ、メモリ、入出力部等を有する一般的なコンピュータ装置を利用して、構成することができる。
同図に示されているように、在圏情報管理サーバ１０２は、在圏情報登録制御部１１０と、在圏情報管理テーブル１１１ａが格納されている格納部１１１と、加入者情報取得制御部１１２と、在圏情報管理サーバ（つまり自装置）の異常を検出すると、在圏情報管理テーブル１１１ａに保持される全ユーザの在圏保証フラグを“保証なし”に設定する障害検出部１１３とから構成されている。
【００３３】
在圏情報登録制御部１１０は、ＳＩＰサーバとのインタフェースを保持し、ＳＩＰサーバから在圏情報登録要求を受信して在圏情報登録結果および加入者のサービス情報をＳＩＰサーバに通知する機能をもつ。また加入者情報取得制御部１１２から通知のあった加入者情報をＳＩＰサーバに通知する機能をもつ。この在圏情報登録制御部１１０は、自装置が障害から復旧した後、ユーザの移動端末についての在圏問い合わせを、全てのＳＩＰサーバに送出する在圏問い合わせ手段と、この在圏問い合わせに対してＳＩＰサーバから取得した在圏ユーザ情報リストに基づいて在圏情報管理テーブル１１１ａの在圏情報を復旧させると共に在圏保証フラグを保証ありに設定する在圏情報登録制御手段として機能する。
格納部１１１には、在圏情報管理テーブル１１１ａが格納されている。在圏情報登録制御部１１０並びに障害検出部１１３からのアクセスを受け、在圏情報管理テーブル１１１ａの更新が行われる。
【００３４】
（在圏情報管理テーブル）
図２は、在圏情報管理テーブル１１１ａの構成例を示す図である。同図に示されているように、在圏情報管理テーブル１１１ａには、ユーザ毎の在圏情報と、在圏保証フラグとが含まれている。ユーザ毎の在圏情報は、在圏状態（すなわち、在圏か、非在圏か）と、在圏の場合は使用するＳＩＰサーバの情報と、から構成されている。なお、各項目のデフォルト状態は、在圏情報：非在圏、在圏保証フラグ：保証なしとする。
【００３５】
加入者情報取得制御部１１２は、加入者情報管理システムとのインタフェースを保持し、在圏情報登録制御部１１０からの加入者情報の取得要求を受信した加入者情報取得制御部１１２は、加入者情報管理システムに対してユーザ情報の取得を行う。また、加入者情報取得制御部１１２は加入者情報管理システムからのユーザ情報の更新を通知されると、在圏情報登録制御部１１０に対してユーザ情報の通知も実現する。
障害検出部１１３は在圏情報管理サーバの異常を検出すると、在圏情報管理テーブル１１１ａに保持される全ユーザの在圏情報並びに在圏保証フラグをデフォルト状態（在圏情報：非在圏、在圏保証フラグ：保証なし）に設定する。
【００３６】
（在圏情報登録処理）
図３は、本発明による在圏情報管理サーバを採用したネットワークにおける在圏情報登録処理イメージを示す図である。
同図において、無線ＬＡＮ圏内のユーザａの移動端末Ａは在圏情報登録要求Ｓ４１を周期的に送信する。移動端末Ａは、例えば、３０分〜６０分周期でそれを送信する。移動端末Ａから在圏情報登録要求を受けたＳＩＰサーバ１０１−１はユーザａの情報を管理する在圏情報管理サーバ１０２に対して在圏情報登録要求Ｓ４２を送信する。在圏情報登録要求Ｓ４２を受信した在圏情報管理サーバ１０２は、ユーザａの加入者情報を取得するために、加入者情報管理システム１０３に対して加入者情報取得要求Ｓ４３を送信する。加入者情報管理システム１０３では、ユーザａの情報を加入者情報通知Ｓ４４にて在圏情報管理サーバ１０２に通知する。
【００３７】
そして、加入者情報管理システム１０３からの加入者情報通知Ｓ４４を受信した在圏情報管理サーバ１０２は、在圏情報管理テーブルへの在圏情報登録処理Ｓ４５を行う。この場合、在圏情報管理サーバ１０２は、在圏情報管理テーブルのユーザａの情報を参照し、在圏情報にＳＩＰサーバ１０１−１の情報を更新するとともに、在圏保証フラグを「保証あり」に更新する。その後、在圏情報管理サーバ１０２は、ユーザ情報通知Ｓ４６を送信し、加入者情報管理システムより取得したユーザａの加入者情報をＳＩＰサーバ１０１−１に通知する。ＳＩＰサーバ１０１−１では、ユーザ情報テーブルへのユーザ情報登録Ｓ４７を行う。このとき、加入者情報を通知した在圏情報管理サーバの情報についても、ユーザ情報テーブルに格納される。ユーザ情報の登録が完了すると、ＳＩＰサーバ１０１−１は、要求応答Ｓ４８をユーザａの移動端末Ａに送信する。
【００３８】
（在圏情報管理サーバ障害時の処理）
図４は、本発明による在圏情報管理サーバ障害時の処理イメージを示す図である。
同図において、在圏情報管理サーバ１０２にて障害が発生した場合は、在圏情報管理テーブルの在圏情報の内容がクリアされ、デフォルト状態Ｓ５０（すなわち、在圏情報：非在圏）に遷移する。そのため、ＳＩＰサーバ１０１−１、１０１−２にて無線ＬＡＮ在圏の移動端末情報を保持している場合は、その情報の内容と在圏情報管理サーバ１０２の在圏情報管理テーブルの情報の内容とがアンマッチとなる。
【００３９】
例えば、同図を参照すると、ＳＩＰサーバ１０１−１には、加入者情報を通知した在圏情報管理サーバとして「在圏情報管理サーバ１０２」が保持されているのに対し、在圏情報管理サーバ１０２の在圏情報管理テーブルには在圏情報が「非在圏」として登録されているにすぎず、両者は一致しない。同様に、ＳＩＰサーバ１０１−２には、加入者情報を通知した在圏情報管理サーバとして「在圏情報管理サーバ１０２」が保持されているのに対し、在圏情報管理サーバ１０２の在圏情報管理テーブルには在圏情報が「非在圏」として登録されているにすぎず、両者は一致しない。このように破線矢印で示されている、情報のアンマッチの状態においては、在圏情報管理テーブルの在圏保証フラグは「保証なし」に設定される。
【００４０】
（在圏情報管理サーバの動作）
図５を参照して本発明の実施形態にかかる在圏情報管理サーバの動作例について説明する。同図には、データ消滅後のデータ復旧処理例が示されている。
同図において、在圏情報管理サーバ１０２は障害からの復旧Ｓ６１の後、接続された全てのＳＩＰサーバに対して在圏問い合わせ要求Ｓ６２を送信する。この在圏問い合わせ要求Ｓ６２を受信したＳＩＰサーバ１０１−１、１０１−２、１０１−３は、自装置が保持するユーザ情報から、在圏情報管理サーバ情報のユーザ情報を抽出して、在圏ユーザ情報のリストの作成Ｓ６３を行う。本例では、「在圏情報管理サーバ１０２」のユーザ情報が抽出され、在圏ユーザ情報のリストが作成される。その後、ＳＩＰサーバ１０１−１、１０１−２、１０１−３は、在圏問い合わせ元の在圏情報管理サーバ１０２に対して、在圏問い合わせ応答Ｓ６４を返す。この在圏問い合わせ応答Ｓ６４には、リスト化された在圏ユーザ情報が設定されている。
【００４１】
在圏情報管理サーバ１０２は、在圏問い合わせ応答Ｓ６４を受信すると、在圏情報管理テーブルの更新Ｓ６５を行う。本例では、リスト化された在圏情報を在圏情報管理テーブルに反映させ、またＳＩＰサーバ情報として在圏問い合わせ応答送信元のＳＩＰサーバの情報を格納し、在圏情報が保証されることを表す在圏保証フラグを「保証あり」に設定する。
【００４２】
在圏情報管理サーバ１０２にて在圏状態問い合わせ対象のＳＩＰサーバを管理し、全てのＳＩＰサーバから在圏状態問い合わせ応答を受信した場合は、その契機にて在圏情報管理サーバ１０２の在圏情報管理テーブルに在圏保証フラグ「保証なし」のユーザのフラグを「保証あり」に変更する処理Ｓ６６を行う。全てのＳＩＰサーバから在圏ユーザ情報リストを取得したタイミングで在圏保証フラグを保証ありに設定することにより、処理をまとめて行うことができ、在圏情報管理サーバ装置の負荷を軽減できる。
【００４３】
（在圏情報復旧手順シーケンス）
図６及び図７を参照して本発明の実施形態にかかる在圏情報復旧手順について説明する。図６及び図７は、本発明の実施形態にかかる在圏情報復旧手順のフローチャートである。
図６において、在圏情報管理サーバ１０２にて障害が発生すると、障害にて在圏情報管理テーブルの内容がクリアされてしまうため、保持していた在圏情報及びＳＩＰサーバ情報がデフォルト値になってしまう（ステップＳ１５０）。
また、障害によって在圏情報管理サーバで保持するユーザの在圏情報を保証できなくなってしまう状態になるため、在圏保証フラグは「保証なし」が設定される（ステップＳ１５０）。
【００４４】
その後、在圏情報管理サーバ１０２が障害から復旧すると、障害経過タイマを起動させる（ステップＳ１５１）。ここでは、在圏情報管理サーバの障害前に位置登録済みの移動端末が次の周期的な在圏位置登録を行う期間を含めた時間として障害復旧時から周期時間＋αの時間を障害経過タイマとして計時する。これは、障害前に位置登録済みの移動端末に対して、障害復旧中にＳＩＰサーバ問い合わせ要求やユーザ情報の変更が発生した場合に、障害から復旧中として応答できる有効的な期間となる。具体的には、該当ユーザの移動端末の在圏情報フラグが「保証なし」ならば、ＳＩＰサーバ問い合わせ要求やユーザ情報の変更の要求元に対して障害復旧後に再度通知してほしい旨を伝えてリトライを促す機能を動作させる時間となる。周期的な在圏位置登録が行われた後には、在圏情報の復旧処理や在圏保証フラグ設定処理を省略することができ、在圏情報管理サーバ装置の負荷を軽減できる。
【００４５】
在圏情報管理サーバ１０２は、接続された全てのＳＩＰサーバに対して在圏状態問い合わせを送信する（ステップＳ１５２）。この在圏状態問い合わせに在圏情報管理サーバ情報を設定することで、この信号を受信したＳＩＰサーバ１０１−１、１０１−２にて自身が保持するユーザ情報から、該当の在圏情報管理サーバ情報を保持するユーザ情報を抽出し、在圏ユーザ情報リストを作成する（ステップＳ１５３）。
【００４６】
在圏ユーザ情報リストを作成したＳＩＰサーバ１０１−１、１０１−２は、在圏状態問い合わせ送信元の在圏情報管理サーバ１０２に対して在圏ユーザ情報リストを設定した在圏状態問い合わせ応答を返す（ステップＳ１５４）。
在圏情報管理サーバ１０２は、この在圏問い合わせ応答を受信すると、リスト化された在圏情報を在圏情報管理テーブルに反映させるために、在圏保証フラグが「保証なし」であるか確認する（ステップＳ１５５）。
【００４７】
確認の結果、在圏保証フラグが「保証なし」の場合は、リスト化された在圏情報を在圏情報管理テーブルに反映させ、またＳＩＰサーバ情報として在圏問い合わせ応答送信元のＳＩＰサーバ１０１−２の情報を格納し、在圏情報が保証されることを表す在圏保証フラグを「保証あり」に設定する（ステップＳ１５６）。
一方、ステップＳ１５５の確認の結果、在圏保証フラグが「保証あり」の場合は、在圏情報問い合わせ応答にて該当移動端末の情報がリストに含まれていたとしても、ＳＩＰサーバでリストの編集と移動端末の登録の競合が発生した場合に移動端末の登録内容がリストに反映されない可能性があることを考慮して、ユーザ情報の更新処理を行わない（ステップＳ１５７）。
【００４８】
なお、在圏ユーザ情報リストに含まれるユーザ分、上記ステップＳ１５５〜ステップＳ１５７の動作を繰り返す（ステップＳ１５８）。したがって、図７に移行し、ＳＩＰサーバ１０１−１からの在圏状態問い合わせ応答（ステップＳ１５４’）についても同様の処理が行われる。
在圏状態問い合わせを送信した在圏情報管理サーバ１０２では、全ＳＩＰサーバから在圏状態問い合わせ応答を受信したかを確認する（ステップＳ１５９）。確認の結果、全ＳＩＰサーバから在圏状態問い合わせ応答を受信していない場合は、障害経過タイマが動作中か判断する（ステップＳ１６０）。障害経過タイマが動作中である場合は、在圏問い合わせ応答未受信のＳＩＰサーバに在圏問い合わせを再送する（ステップＳ１６０→Ｓ１６１）。これに対し、障害経過タイマが満了していた場合はＳＩＰサーバへの在圏問い合わせの再送は行わない。
【００４９】
一方、確認の結果、全ＳＩＰサーバから在圏状態問い合わせ応答を受信した場合は、ＳＩＰサーバにて保持する在圏情報を全て確認したとして、在圏情報管理テーブルの在圏サーバ情報「なし」のユーザの在圏保証フラグに「保証あり」を設定する（ステップＳ１６２）。また、計時中の障害経過タイマを停止させ（ステップＳ１６３）、その後、ＳＩＰサーバ問い合わせ要求やユーザ情報の変更が発生した場合は、在圏情報のみ確認して制御する。障害経過タイマ起動中のみ在圏保証フラグを参照して制御判断させ、障害経過タイマ満了後は、在圏情報を保証できているとして在圏保証フラグを参照しないことで、一律在圏情報に従った処理を行うことができる。
【００５０】
（ＳＩＰサーバ問い合わせ処理）
図８は、本発明の実施形態にかかるＳＩＰサーバ問い合わせ処理（つまり着信処理）を示すフローチャートである。
同図において、発信者の移動端末から接続要求信号が送信されると（ステップＳ１０１）、ＳＩＰサーバ１０１−２は、着ユーザｂの移動端末Ｂの在圏ＳＩＰサーバを問い合わせるため、在圏情報確認要求を在圏情報管理サーバ１０２に向けて送信する（ステップＳ１０２）。この在圏情報確認要求を受けた在圏情報管理サーバ１０２は、障害経過タイマ起動中か確認する（ステップＳ１０３）。
【００５１】
確認の結果、障害経過タイマ起動中の場合は、在圏情報管理テーブルの移動端末Ｂの在圏保証フラグを参照する処理を行う（ステップＳ１０４）。そして、在圏保証フラグが「保証なし」の場合は、障害復旧中と判断して在圏情報確認要求の送信元であるＳＩＰサーバ１０１−２に、障害複旧中の情報を含む在圏情報確認応答を返信する（ステップＳ１０５）。これに対し、在圏保証フラグが「保証あり」の場合または障害経過タイマ起動中でない場合は、障害が発生していない状態もしくは障害発生後に一定の時間が経過しているため、在圏情報管理テーブルの移動端末Ｂの在圏状態を確認する（ステップＳ１０６）。
【００５２】
確認の結果、在圏状態が「在圏」の場合は、在圏情報確認要求の送信元であるＳＩＰサーバ１０１−２にＳＩＰサーバ情報を含む在圏情報確認応答を応答する（ステップＳ１０７）。これは、同図中のパターン（１）である。
一方、在圏状態が「非在圏」の場合は、移動端末Ｂが在圏していないとして在圏情報確認要求の送信元であるＳＩＰサーバ１０１−２にユーザｂが非在圏である情報を設定した在圏情報確認応答を応答する（ステップＳ１０８）。これは、同図中のパターン（２）である。
【００５３】
（加入者情報更新処理）
図９は、本発明の実施形態にかかる加入者情報更新処理を示すフローチャートである。
同図において、加入者情報管理システム１０３から移動端末Ｂのユーザｂの加入者情報更新通知が送出されると、それを在圏情報管理サーバ１０２が受信する。（ステップＳ２０１）。この加入者情報更新通知を受信した在圏情報管理サーバ１０２は、障害経過タイマ起動中か確認する（ステップＳ２０２）。
【００５４】
確認の結果、障害経過タイマ起動中の場合は、在圏情報管理テーブルの移動端末Ｂの在圏保証フラグを参照する処理を行う（ステップＳ２０３）。参照した結果、在圏保証フラグが「保証なし」の場合は、障害復旧中と判断して加入者情報更新通知の送信元である加入者情報管理システムに、障害復旧中の情報を含む加入者情報更新通知応答を返信する（ステップＳ２０４）。一方、在圏保証フラグが「保証あり」の場合または障害経過タイマ起動中でない場合は、障害が発生していない状態もしくは障害発生後に一定の時間が経過しているため、在圏情報管理テーブルの移動端末Ｂの在圏状態を確認する（ステップＳ２０５）。
【００５５】
確認の結果、在圏状態が「在圏」の場合は、移動端末Ｂの在圏するＳＩＰサーバ１０１−１に対して加入者情報更新処理を実施する。その後、加入者情報更新通知の送信元である加入者情報管理システムに加入者情報更新通知を行った結果を含む在圏情報確認応答を送信する（ステップＳ２０６）。これは、同図中のパターン（３）である。一方、在圏状態が「非在圏」の場合は、移動端末Ｂが在圏していないとして加入者情報更新通知の送信元である加入者情報管理システムにユーザｂが非在圏である情報を設定した加入者情報更新通知応答を送信する（ステップＳ２０７）。これは、同図中のパターン（４）である。
【００５６】
（新規ユーザ登録手順シーケンス）
図１０は、本発明の実施形態にかかる新規ユーザの移動端末についての登録手順を示すシーケンス図である。
同図を参照すると、位置登録が行われていない新規ユーザの移動端末についての登録情報は、加入者情報管理システム１０３、在圏情報管理サーバ１０２に向けて、オペレータ端末から送信される（ステップＳ１４１、Ｓ１４２）。
オペレータ端末から新規ユーザの登録情報が送信された場合、在圏情報管理サーバ１０２の在圏情報管理テーブル上の該当ユーザの在圏情報及び在圏保証フラグのデフォルト状態は、在圏情報が「非在圏」、在圏保証フラグが「保証なし」となる。
【００５７】
ここで、在圏情報管理テーブル上の該当ユーザの在圏情報が「非在圏」で在圏保証フラグが「保証なし」の場合に、ＳＩＰサーバからの在圏情報確認要求受信時もしくは、加入者情報管理システムからの加入者情報更新通知を受信したタイミングで在圏保証フラグを「保証あり」に更新する（Ｓ１４３）。これにより、在圏情報管理テーブル上の該当ユーザの在圏情報は、「非在圏」、在圏保証フラグは「保証あり」となる（ステップＳ１４４）。こうすることにより、前記在圏情報保管理テーブルに在圏情報「非在圏」を保持するタイミングで移動端末の在圏状態を保証することが在圏保証フラグに反映され、在圏情報管理サーバでの障害後に新規ユーザ登録がされた場合、在圏情報管理サーバの障害前に位置登録済みの移動端末が次の周期的な在圏位置登録を行う期間を含めた時間として障害復旧時から周期時間＋αの時間を計時する間にＳＩＰサーバからの在圏情報確認要求や、加入者情報管理システムからの加入者情報更新通知に対して障害復旧後に再度通知してほしい旨を伝えてリトライを促す機能を動作させることがないようにすることができる。
なお、その後、加入者情報管理システム１０３、在圏情報管理サーバ１０２からオペレータ端末に向けて、新規ユーザ登録応答が送信される（ステップＳ１４５、Ｓ１４６）。
【００５８】
（ＳＩＰサーバ装置）
ところで、上述した各ＳＩＰサーバ装置は、ＣＰＵ、記憶部、入出力部等を有する一般的なコンピュータを用いて実現することができる。このＳＩＰサーバ装置は、以下の機能を有している。すなわち、ＳＩＰサーバ装置は、図１１に示されているように、ユーザの移動端末が、どのＳＩＰサーバに対応するエリアに存在しているかを示す在圏在圏情報を管理する在圏情報管理サーバ装置が障害から復旧した後、上記在圏情報管理サーバ装置からの問合せに応答して、自装置が保持するユーザ情報を基に、上記在圏情報管理サーバ情報のユーザ情報に関する在圏ユーザ情報リストを作成する在圏ユーザ情報リスト作成手段１０１ａと、上記在圏ユーザ情報リスト作成手段によって作成した在圏ユーザ情報リストを上記在圏情報管理サーバ装置に通知する通知手段１０１ｂとを有している。ユーザ情報をリスト形式で送信することにより、信号数の削減を行うことができ、在圏情報管理サーバ装置並びにＳＩＰサーバ装置の処理負荷を軽減することができる。
【００５９】
（在圏情報管理方法）
上述した在圏情報管理サーバ装置を用いて構成したネットワークにおいては、以下のような在圏情報管理方法が実現されている。すなわち、通信網を構成すると共に上記通信網においてユーザの移動端末が在圏しているエリアに対応するＳＩＰサーバ装置を管理する在圏情報管理方法であって、ユーザの移動端末が、どのＳＩＰサーバ装置に対応するエリアに存在しているかを示す在圏情報と前記在圏情報の信頼性を示す在圏保証フラグとを対応付けて在圏情報管理テーブルによって管理する在圏情報管理ステップと、在圏情報管理サーバ装置の障害を検出した場合に、前記在圏保証フラグを保証なしに設定するフラグ更新ステップ（例えば、図６中のステップＳ１５０に対応）と、前記在圏情報管理サーバ装置が障害から復旧した後、ユーザの移動端末についての在圏問い合わせを、全てのＳＩＰサーバ装置に送出する在圏問い合わせステップ（例えば、図６中のステップＳ１５２に対応）と、前記在圏問い合わせに対してＳＩＰサーバ装置から取得した在圏ユーザ情報リストに基づいて前記在圏情報管理テーブルの在圏情報を復旧させると共に前記在圏保証フラグを保証ありに設定する在圏情報登録制御ステップ（例えば、図６中のステップＳ１５６に対応）とを含む在圏情報管理方法が実現されている。こうすることにより、移動端末が在圏するＳＩＰサーバ情報が在圏情報管理サーバ装置において消去された場合においても、障害復旧後に即座に全ユーザの移動端末の在圏情報についての一致化を行うことができる。また、ユーザ情報をリスト形式で送信することにより、信号数の削減を行うことができ、在圏情報管理サーバ装置並びにＳＩＰサーバ装置の処理負荷を軽減することができる。
【産業上の利用可能性】
【００６０】
本発明は、在圏情報管理サーバに保持されている在圏情報が消滅した後にそれを復旧させる場合に利用できる。
【図面の簡単な説明】
【００６１】
【図１】在圏情報管理サーバの構成例を示すブロック図である。
【図２】在圏情報管理テーブルの構成例を示す図である。
【図３】本発明による在圏情報管理サーバを採用したネットワークにおける在圏情報登録処理イメージを示す図である。
【図４】本発明による在圏情報管理サーバ障害時の処理イメージを示す図である。
【図５】本発明の実施形態にかかる在圏情報管理サーバの動作例を示す図である。
【図６】本発明の実施形態にかかる在圏情報復旧手順シーケンスを示す図である。
【図７】本発明の実施形態にかかる在圏情報復旧手順シーケンスを示す図である。
【図８】本発明の実施形態にかかるＳＩＰサーバ問い合わせ処理シーケンスを示す図である。
【図９】本発明の実施形態にかかる加入者情報更新処理を示すフローチャートである。
【図１０】本発明の実施形態にかかる新規ユーザの移動端末についての登録手順を示すシーケンス図である。
【図１１】本発明の実施形態にかかるＳＩＰサーバの構成例を示すブロック図である。
【図１２】ＳＩＰを使用した通信を実現するためのネットワークの一構成例を示す図である。
【図１３】標準仕様に準拠した在圏情報登録処理を示す図である。
【図１４】標準仕様に準拠した発着信処理を示す図である。
【図１５】従来の在圏情報管理サーバ障害時の処理を示す図である。
【符号の説明】
【００６２】
１０１−１、１０１−２、１０１−３  ＳＩＰサーバ
１０１ａ  在圏ユーザ情報リスト作成手段
１０１ｂ  通知手段
１０２  在圏情報管理サーバ
１０３  加入者情報管理システム
１１０  在圏情報登録制御部
１１１  格納部
１１１ａ  在圏情報管理テーブル
１１２  加入者情報取得制御部
１１３  障害検出部
Ａ、Ｂ  移動端末
【図１】
2008022234.tif 000003
【図２】
2008022234.tif 000004
【図３】
2008022234.tif 000005
【図４】
2008022234.tif 000006
【図５】
2008022234.tif 000007
【図６】
2008022234.tif 000008
【図７】
2008022234.tif 000009
【図８】
2008022234.tif 000010
【図９】
2008022234.tif 000011
【図１０】
2008022234.tif 000012
【図１１】
2008022234.tif 000013
【図１２】
2008022234.tif 000014
【図１３】
2008022234.tif 000015
【図１４】
2008022234.tif 000016
【図１５】
2008022234.tif 000017